(57)【要約】      （修正有）【課題】縄跳びとダンベルを結合した健康器具を提供する。【解決手段】縄体１０の両端にグリップ２０、蓋３０、スリーブ４０、ジョイント５０、及び、二端の頭蓋６０を設置する。縄体は円形断面の可撓性体で、グリップ内部は重力ブロックを設置し、両端はそれぞれ螺柱２１を延伸する。グリップは、外部の長辺対称箇所に二つの耳２２を有し、耳によりベルト２３を設置する。蓋中央に縄孔３１を穿設し、蓋内端口に螺紋段３２を有し、スリーブ外段が蓋の縄孔より大きい係合段４１である。また、スリーブ中央は縄孔４２を穿設し、縄孔外段は更に大きく、且つ、開口端が斜面である係合孔４３を有する。ジョイント中央は縄孔５１を穿設し、外段は複数のノッチを設置して弾性挟辺５２を形成する。頭蓋の蓋内端口は、螺紋段６１を設置する。【選択図】図２
0003139091.tif 000002
【実用新案登録請求の範囲】
【請求項１】
縄跳びとダンベルを結合した健康器具であって、縄体の両端に、グリップ、蓋、スリーブ、ジョイント、及び、二端の頭蓋を設置し、
前記縄体は円形断面の可撓性体で、
前記グリップ内部は重力ブロックを設置し、両端はそれぞれ螺柱を延伸し、前記グリップは外部の長辺対称箇所に、二つの耳を有し、前記耳によりベルトを設置し、
前記蓋中央に縄孔を穿設し、蓋内端口に螺紋段を有し、
前記スリーブ外段が蓋の縄孔より大きい係合段で、前記スリーブ中央は縄孔を穿設し、前記縄孔外段は更に大きく、且つ、開口端が斜面である係合孔を有し、
前記ジョイント中央は縄孔を穿設し、外段は複数のノッチを設置して弾性挟辺を形成し、前記頭蓋の蓋内端口は、螺紋段を設置し、
上述のような構造により、前記縄体は端部が前記蓋の縄孔を穿入し、前記スリーブは、前記縄孔により、前記蓋の縄孔に穿入して延伸し、前記スリーブの係合段方向が外向きで、前記スリーブが前記蓋内部に収められ、係合段が前記蓋の縄孔内部に固定され、前記ジョイントが係合孔内に引きいれられ、係合孔は斜面設計により前記ジョイントの弾性挟辺が前記縄体を内に緊束することを特徴とする、縄跳びとダンベルを結合した健康器具。
【考案の詳細な説明】
【技術分野】
【０００１】
本考案は、縄跳びとダンベルを結合した健康器具に関し、特に、ダンベルを使用する運動効果を有し、練習状況に応じて縄跳びに変化させることができる健康器具に関するものである。
【背景技術】
【０００２】
多くの人が健康器具により運動し、運動の方式は多数あるが、一般の健康器具の功能は単一的であり、運動効果も一部位に限られる。
【考案の開示】
【考案が解決しようとする課題】
【０００３】
本考案は、縄跳びとダンベルを結合した健康器具を提供し、上述の問題を解決することを目的とする。
【課題を解決するための手段】
【０００４】
本考案の縄跳びとダンベルを結合した健康器具は、縄体の両端にグリップ、蓋、スリーブ、ジョイント、及び、二端の頭蓋を設置する。縄体は円形断面の可撓性体で、グリップ内部は重力ブロックを設置し、両端はそれぞれ螺柱を延伸する。グリップは外部の長辺対称箇所に、二つの耳を有し、耳によりベルトを設置する。蓋中央に縄孔を穿設し、蓋内端口に螺紋段を有し、スリーブ外段が蓋の縄孔より大きい係合段である。また、スリーブ中央は縄孔を穿設し、縄孔外段は更に大きく、且つ、開口端が斜面である係合孔を有する。ジョイント中央は縄孔を穿設し、外段は複数のノッチを設置して弾性挟辺を形成する。頭蓋の蓋内端口は、螺紋段を設置する。
【考案の効果】
【０００５】
本考案の健康器具は、縄跳びとダンベルの運動が可能で、更に、グリップは脱落や滑出が防止され、他人や物品に衝突するのを防止し、安全使用が可能である。
【考案を実施するための最良の形態】
【０００６】
図１、図２で示されるように、縄体１０の両端にグリップ２０、蓋３０、スリーブ４０、ジョイント５０、及び、二端の頭蓋６０を設置する。縄体１０は円形断面の可撓性体で、グリップ２０内部は重力ブロックを設置し、両端はそれぞれ螺柱２１を延伸する。グリップ２０は外部の長辺対称箇所に二つの耳２２を有し、耳２２によりベルト２３を設置する。蓋３０中央に縄孔３１を穿設し、蓋内端口に螺紋段３２を有し、スリーブ４０外段が蓋３０の縄孔３１より大きい係合段４１である。また、スリーブ４０中央は縄孔４２を穿設し、縄孔４２外段は更に大きく、且つ、開口端が斜面である係合孔４３を有する。ジョイント５０中央は縄孔５１を穿設し、外段は複数のノッチを設置して弾性挟辺５２を形成する。頭蓋６０の蓋内端口は、螺紋段６１を設置する。
【０００７】
構造の組み合わせは、図１、図３、図４、及び、図５で示され、縄体１０は端部を蓋３０の縄孔３１に穿入すると共に、スリーブ４０は縄孔４２により蓋３０の縄孔３１を穿入して延伸し、係合段４１方向は外向けで、最後はジョイント５０の縄孔５１に縄体１０端部を穿設し、弾性挟辺５２により縄体１０を弾性挟持する。縄体１０が蓋３０方向に引かれる時、スリーブ４０は蓋３０内部に収められ、係合段４１により蓋３０の縄孔３１内部に固定される。ジョイント５０は係合孔４３内に引かれ、係合孔４３の斜面設計により、ジョイント５０の弾性挟辺５２が内側に縄体１０を緊束して固定状態になる。蓋３０は、螺紋段３２によりグリップ２０の一端螺柱２１に螺設され、グリップ２０のもう一端の螺柱２１は頭蓋６０の螺紋段６１で螺設され、これにより縄跳びとして使用できる。
【０００８】
図６で示されるように、縄跳びとして使用せず、単にダンベルとして使用する時、グリップ２０一端の蓋３０を取り外して、縄体１０からグリップ２０を分離し、端をもう一端の頭蓋６０の螺紋段６１により螺柱２１に螺設すればいい。
【０００９】
上述の具体例の構造により、以下のような効果が得られる。縄体１０と蓋３０の結合は、蓋３０の縄孔３１により縄体１０を穿入し、スリーブ４０は縄孔４２により蓋３０を続けて穿入し、最後にジョイント５０の縄孔５１を縄体１０端部に穿設し、且つ、縄体１０は弾性挟辺５２により弾性挟持を提供し、縄体１０を蓋３０方向に引く時、スリーブ４０が蓋３０内部に収まり、係合段４１により蓋３０の縄孔３１内部に固定され、ジョイント５０は係合孔４３内に引き入れられ、係合孔４３の斜面設計により、ジョイント５０の弾性挟辺５２が内に縄体１０を緊束して固定される。この種の方式の結合は安定性があるだけでなく、結合が容易であるという長所がある。更に、握って使用するグリップ２０は、外部長辺対称箇所に二つの耳２２とベルト２３を設置し、ベルト２３により使用過程中のグリップ２０の脱落や滑出を防止し、他人や物品に衝突するのを防止し、安全使用が可能である。
【００１０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１１】
【図１】本考案の縄跳びの立体組み合わせ図
【図２】本考案の立体分解図
【図３】本考案の局部立体図
【図４】本考案の縄跳びの組み合わせ断面図
【図５】本考案の縄とびの完成品図
【図６】本考案のダンベルの立体組み合わせ図
【符号の説明】
【００１２】
１０    縄体
２０    グリップ
２１    螺柱
２２    耳
２３    ベルト
３０    蓋
３１    縄孔
３２    螺紋段
４０    スリーブ
４１    係合段
４２    縄孔
４３    係合孔
５０    ジョイント
５１    縄孔
５２    弾性挟辺
６０    頭蓋
６１    螺紋段
【図１】
0003139091.tif 000003
【図２】
0003139091.tif 000004
【図３】
0003139091.tif 000005
【図４】
0003139091.tif 000006
【図５】
0003139091.tif 000007
【図６】
0003139091.tif 000008